(57)【特許請求の範囲】
【請求項１】
下記（ａ）〜（ｅ）より構成されていることを特徴とするフォークリフトの運転台の上部に設置するための簡易冷房装置。
（ａ）冷却水または氷を充填した冷却プラスチック容器の多数を収納しうる箱形容器、
（ｂ）該箱形容器は、その上面の中央部に空気取り入れ口および空気を箱形容器に導入するための電動ファンを備え、
（ｃ）該箱形容器は、その下面には冷却された空気を箱形容器の下方に向けて吹き出すための多数の排出口を有し、排出口は２〜４ｍｍの直径を有しかつ多数の排出口は８０〜１２０ｍｍの間隔で配置され、
（ｄ）該箱形容器の内部には多数の冷却プラスチック容器が一方向に配列され、かつ横方向に移動を阻止するための保持板または溝部を内部下面に有し、かつ、
（ｅ）該箱形容器の１つの側面は、冷却プラスチック容器を収納または取り出すための開閉可能な扉構造を有している。
【請求項２】
該箱形容器は、不透明な樹脂板で構成された六面体形状である請求項１記載の簡易冷房装置。
【請求項３】
該箱形容器は、その上面に断熱シートが貼り付けられている請求項１記載の簡易冷房装置。
【請求項４】
該冷却プラスチック容器は、容量が５００ｍｌ〜２０００ｍｌのペットボトルである請求項１記載の簡易冷房装置。
【請求項５】
該電動ファンは１２Ｖの電圧で可動する請求項１記載の簡易冷房装置。
【発明の詳細な説明】
【技術分野】
【０００１】
本発明は簡易冷房装置に関する。さらに詳しくは、冷房のない環境下で作業や労働する人のための簡易冷房装置に関する。
【背景技術】
【０００２】
例えば、工場内や倉庫内で製品をフォークリフトなどを用いて運搬や移動することは日常良く行なわれている作業である。これらの工場や倉庫では、一般に冷暖房されていないことが多く、夏の暑い時期では、室内は高温高湿の状態となり、労働環境は極めて厳しいものとなる。そのため作業者の近辺に扇風機を設置することが実施されているが、扇風機の利用は、冷房効果の点で不満足なものである。
【発明の概要】
【発明が解決しようとする課題】
【０００３】
そこで、フォークリフトの運転者のように、冷房設備のない車輌の運転者が、作業中暑い時期において、快適に作業を行なうことができる簡易冷房装置の開発を目的として研究を進めた。
【０００４】
すなわち、車輌の電源として一般的な１２Ｖの電圧で作動しうること、作業時間の３〜８時間程度の長時間作動しうること、簡単に設置すること、構造が簡単で故障が少なくかつ安価なコストで製作できることおよび冷媒が容易に入手でき繰返し使用しうることなどの課題として研究を進めた。
【０００５】
その結果、冷却水または氷を充填したプラスチック容器を冷媒として使用することができること、このプラスチック容器は家庭用の冷蔵庫を使用して簡単に冷却または製氷することができ、また使用後も繰返し利用することができること、このプラスチック容器を冷媒として使用すると比較的長時間冷風を排出できること、また車輌用の電源の１２Ｖの電圧の利用でファンを作動することができ、その電力で空気の取り入れと冷気の充分な排出量が確保できることを見出し、さらに多数のプラスチック容器を収納できる箱形容器であって、その箱形容器は空気の取り入れ口とそのための電動ファンおよび冷風を下方に向けて吹き出すための多数の排出口を有していることが望ましいことを見出し本発明に到達した。
【課題を解決するための手段】
【０００６】
本発明によれば下記簡易冷房装置が提供される。
(１)  下記（ａ）〜（ｅ）より構成されていることを特徴とするフォークリフトの運転台の上部に設置するための簡易冷房装置。
（ａ）冷却水または氷を充填した冷却プラスチック容器の多数を収納しうる箱形容器、
（ｂ）該箱形容器は、その上面の中央部に空気取り入れ口および空気を箱形容器に導入するための電動ファンを備え、
（ｃ）該箱形容器は、その下面には冷却された空気を箱形容器の下方に向けて吹き出すための多数の排出口を有し、排出口は２〜４ｍｍの直径を有しかつ多数の排出口は８０〜１２０ｍｍの間隔で配置され、
（ｄ）該箱形容器の内部には多数の冷却プラスチック容器が一方向に配列され、かつ横方向に移動を阻止するための保持板または溝部を内部下面に有し、かつ、
（ｅ）該箱形容器の１つの側面は、冷却プラスチック容器を収納または取り出すための開閉可能な扉構造を有している。
(２)  該箱形容器は、不透明な樹脂板で構成された六面体形状である前記(１)記載の簡易冷房装置。
(３)  該箱形容器は、その上面に断熱シートが貼り付けられている前記(１)記載の簡易冷房装置。
(４)  該冷却プラスチック容器は、容量が５００ｍｌ〜２０００ｍｌのペットボトルである前記(１)記載の簡易冷房装置。
(５)  該電動ファンは１２Ｖの電圧で可動する前記(１)記載の簡易冷房装置。
【発明の効果】
【０００７】
本発明の簡易冷房装置は、車輌用電源（１２Ｖ）で充分に可動でき、しかも家庭用の冷蔵庫で準備することができる冷却水または氷を充填したプラスチック容器（殊にペットボトル）を冷媒としてでき、比較的長時間運転者に冷気を送り続けることが可能であり、構造が簡単であって製造コストも安価である。しかも操作や維持に特別の技術を要せず夏の暑い条件下での作業が快適となる。
【図面の簡単な説明】
【０００８】
【図１】本発明の簡易冷房装置を上面から見た平面図を示す。
【図２】図１のＸ−Ｘ´における横断面図を示す。
【図３】本発明の簡易冷房装置の下面から見た平面図を示す。
【図４】本発明の簡易冷房装置において、箱形容器内に収納された冷却プラスチック容器の配置図を示す。
【発明を実施するための形態】
【０００９】
本発明の簡易冷房装置は、フォークリフトの運転台の上部（屋根部）に搭載されて利用されるものであり、不透明な樹脂板で形成された箱形構造を有し、通常六面体形状であることが望ましい。具体的には無機充填剤を配合した不透明な樹脂板で形成される。殊に塩化ビニル樹脂板で形成されているのが加工性およびコストの面で好ましい。この樹脂板は、３ｍｍ〜６ｍｍの厚さを有するものが好適である。
【００１０】
以下、図面によりさらに具体的に説明する。
図１は、本発明の簡易冷房装置を上面から平面図を示す。
図１において上面の樹脂板２の中央部には空気取り入れ口３が設置され、その空気取り入れ口３の内部には、電動ファンが内蔵されている。この電動ファンは１２Ｖ程度の低電圧で作動するものが好適に利用される。また空気取り入れ口３には、電動ファンが覆われるように蓋が設置され、空気は横方向から取り入れる構造であることが望ましい（図２参照）。
【００１１】
図２は図１のＸ-Ｘ´線における横断面図を示す。簡易冷却装置１の横断面図において、中央部には空気取り入れ口３が設置され、その中には電動ファン４が内蔵されている。図２に示すように、冷却プラスチック容器が下面の樹脂板上に配置されている。図２では５個のプラスチック容器５が配置されていることを示している。これらプラスチック容器５は、横方向の移動を阻止するための保持板８が容器の配列方向に沿って下面樹脂板６に固定されている。この保持板８は、プラスチック容器５を箱形容器１中に収納したり或いは箱形容器１から取り出すために有効であり、保持板８はその配列方向に従ってプラスチック容器５を挿入し、または取り出す役目も果たす。また保持板８は車輌（例えばフォークリフト）が運転中にプラスチック容器５が横方向に移動するのを阻止するような大きさと形状を有していることが望ましい。保持板８は下面樹脂板が凹凸構造の表面となる形状でよく、その場合、溝部（凹部）にプラスチック容器５が収まるようにすればよい。保持板８の大きさ（高さ）は、箱形容器内の空気の移動が妨げられないように、プラスチック容器の厚みの半分以下にすべきである。
【００１２】
図３は簡易冷房装置の下面から見た平面図（底面図）である。この下面の樹脂板６には多数の冷却された空気の排出口７が設けられている。この排出口７は、工作上円形の形状であることが好ましく、その直径は２〜４ｍｍ、好ましくは２．５〜３．５ｍｍが適当である。また隣り合う排出口７の距離は８０ｍｍ〜１２０ｍｍ、好ましくは８５ｍｍ〜１１０ｍｍ程度であることが適当である。下面全体にわたって等間隔で排出口７が配置されていることが効果的である。排出口７の直径と間隔は前記範囲とすることにより、充分な風速の冷却空気が下方に（運転者に向かって）吹き出されることになる。
【００１３】
図４には箱形容器内に収納された冷却プラスチック容器の配置の状態を示したものである。つまり箱形容器の下面樹脂板上に冷却プラスチック容器（代表的にはペットボトル）が配列された状態図であり、図４では合計１０個の容器が５列に配列されている。冷却プラスチック容器は図５の上面または下面の側面から出し入れされる。図４では冷却プラスチック容器の保持板（または溝）８や排出口７は図面上に省略されている。
【００１４】
本発明の簡易冷房装置における箱形容器は、樹脂板で構成されるが、断熱効果を向上させるために樹脂板には断熱シートを貼り付けることができる。殊に上面の樹脂板に断熱シートを貼り付けることが望ましい。この断熱シートとしては、発砲スチレンシートが利用でき、断熱シートは、樹脂板の外側または内側いずれであってもよい。
【００１５】
箱形容器中に収納される冷却プラスチック容器は、水または氷を充填できる容器であればよいが、ペットボトルとして通常市販されているものをそのまま利用することができる。容器の容量は、３５０ｍｌ〜３０００ｍｌ、好ましくは５００ｍｌ〜２０００ｍｌであるのが有利である。プラスチック容器中には水を入れ冷蔵庫で冷却したものが使用できる。容器中の水は氷であってもよく、また０〜１０℃と、好ましくは０〜５℃の液体の水であってもよい。
箱形容器中には、冷却プラスチック容器が、大きさにもよるが５〜１５個収納することが適当である。
【００１６】
箱形容器の１つの側面は冷却プラスチック容器を収納または取り出すための開閉可能な扉構造を有している。この扉構造は、側面が横開き方式または上下開き方式などであればよく、またプラスチック容器の収納時には側面が開かないようにフックなどを取り付けておくことが望ましい。
【００１７】
箱形容器の全体の大きさは、図１の平面図の大きさとして縦方向および横方向はいずれも８０〜１２０ｃｍ程度であり、厚みは１５〜２５ｃｍであることが望ましい。
【００１８】
また箱形容器中では、中央部の空気取り入れ口から導入された空気が冷却プラスチック容器と効果的に接触し、かつ空気のスムーズな流れが形成されるようにプラスチック容器を配列すべきである。
【００１９】
そのためプラスチック容器の配列は一定の間隔を設けることが望ましい。また箱形容器の下面の樹脂板には、排出口が塞がれないようにプラスチック容器と下面樹脂板との間に一定の空間または隙間を設けることが望ましい。
【００２０】
本発明の簡易冷房装置は、１２Ｖの電源が準備できる所であれば、フォークリフトの運転台の上部のみならず、他の車輌にも適用できる。また車輌以外に、屋台や室内の冷房が及ばない所であっても適用できる。
【符号の説明】
【００２１】
１  箱形容器
２  上面の樹脂板
３  空気取り入れ口
４  電動ファン
５  プラスチック容器
６  下面樹脂板
７  排出口
８  保持板
【図１】
0005462564.tif 000002
【図２】
0005462564.tif 000003
【図３】
0005462564.tif 000004
【図４】
0005462564.tif 000005